(57)【要約】  充放電可能なバッテリと、バッテリから供給された電力によって車輪を駆動するためのトルクを出力し、または、車輪の回転にともなって電力を出力するモータジェネレータと、電源から供給された電力でバッテリを充電する充電部と、電力を出力する状態におけるモータジェネレータの回転速度を検出するための回転速度検出部と、モータジェネレータが出力した電力でバッテリを充電し、充電部に対して電源から供給された電力でバッテリを充電する制御を行う制御部と、を備え、制御部は、回転速度が検出された後、検出された回転速度が閾値速度以下である状態が閾値時間継続するまで、電源から供給された電力でバッテリを充電する制御を待機し、閾値速度以下である状態が閾値時間継続したとき、電源から供給された電力でバッテリを充電する制御を行う。
2019049334.tif 000002
【特許請求の範囲】
【請求項１】
充放電可能なバッテリと、
前記バッテリから供給された電力によって車輪を駆動するためのトルクを出力し、または、前記車輪の回転にともなって電力を出力するモータジェネレータと、
電源から供給された電力で前記バッテリを充電する充電部と、
前記電力を出力する状態における前記モータジェネレータの回転速度を検出するための回転速度検出部と、
前記モータジェネレータが出力した電力で前記バッテリを充電し、前記充電部に対して前記電源から供給された電力で前記バッテリを充電する制御を行う制御部と、を備え、
前記制御部は、前記回転速度が検出された後、前記検出された回転速度が閾値速度以下である状態が閾値時間継続するまで、前記電源から供給された電力で前記バッテリを充電する制御を待機し、前記閾値速度以下である状態が前記閾値時間継続したとき、前記電源から供給された電力で前記バッテリを充電する制御を行うことを特徴とする電動車両。
【請求項２】
前記電力を出力する状態は、外力で前記車輪を回転させ得るように車両のスタンドが立てられて前記車輪が地面から離れた状態であることを特徴とする請求項１に記載の電動車両。
【請求項３】
前記バッテリを収納する開閉可能な収納部と、
前記収納部の閉鎖状態を検出するための閉鎖状態検出部と、を更に備え、
前記制御部は、前記閾値速度以下である状態が前記閾値時間継続したときに、前記閉鎖状態が検出されている場合に、前記電源から供給された電力で前記バッテリを充電する制御を行うことを特徴とする請求項１に記載の電動車両。
【請求項４】
前記収納部は、車両のシートによって開閉されることを特徴とする請求項３に記載の電動車両。
【請求項５】
前記充電部は、前記電源に接続される充電プラグと、前記充電プラグを介して前記電源から入力された交流電圧を直流電圧に変換するＡＣ−ＤＣコンバータと、を有し、
前記制御部は、前記ＡＣ−ＤＣコンバータに対して前記交流電圧を前記直流電圧に変換する制御を行うことで、前記電源から供給された電力で前記バッテリを充電する制御を行うことを特徴とする請求項１に記載の電動車両。
【請求項６】
前記制御部は、前記充電プラグが前記電源に接続された後に、前記閾値速度以下である状態が前記閾値時間継続するまで、前記交流電圧を前記直流電圧に変換する制御を待機し、前記閾値速度以下である状態が前記閾値時間継続したとき、前記交流電圧を前記直流電圧に変換する制御を行うことを特徴とする請求項５に記載の電動車両。
【請求項７】
前記閾値速度は、前記回転速度の絶対値の閾値であることを特徴とする請求項１に記載の電動車両。
【請求項８】
前記制御部は、予め設定された判定周期で前記回転速度が前記閾値速度以下であるか否かを判定し、前記回転速度が前記閾値速度以下である場合に、前記閾値速度以下である状態の継続時間のカウント値をインクリメントし、前記カウント値が前記閾値時間に相当する完了値に達するまで、前記電源から供給された電力で前記バッテリを充電する制御を待機し、前記カウント値が前記完了値に達したときに、前記電源から供給された電力で前記バッテリを充電する制御を行うことを特徴とする請求項１に記載の電動車両。
【請求項９】
前記制御部は、前記回転速度が前記閾値速度以下でない場合に前記カウント値をリセットすることを特徴とする請求項８に記載の電動車両。
【請求項１０】
前記制御部は、前記バッテリから前記モータジェネレータに電力を供給する制御を行うことを特徴とする請求項１に記載の電動車両。
【請求項１１】
前記車輪と前記モータジェネレータとがクラッチを介さずに機械的に接続されていることを特徴とする請求項１に記載の電動車両。
【請求項１２】
充放電可能なバッテリと、
前記バッテリから供給された電力によって車輪を駆動するためのトルクを出力し、または、前記車輪の回転にともなって電力を出力するモータジェネレータと、
電源から供給された電力で前記バッテリを充電する充電部と、
前記電力を出力する状態における前記モータジェネレータの回転速度を検出するための回転速度検出部と、を備える電動車両を制御する電動車両制御装置であって、
前記モータジェネレータが出力した電力で前記バッテリを充電し、前記充電部に対して前記電源から供給された電力で前記バッテリを充電する制御を行う制御部を備え、
前記制御部は、前記回転速度が検出された後、前記検出された回転速度が閾値速度以下である状態が閾値時間継続するまで、前記電源から供給された電力で前記バッテリを充電する制御を待機し、前記閾値速度以下である状態が前記閾値時間継続したとき、前記電源から供給された電力で前記バッテリを充電する制御を行うことを特徴とする電動車両制御装置。
【請求項１３】
充放電可能なバッテリと、
前記バッテリから供給された電力によって車輪を駆動するためのトルクを出力し、または、前記車輪の回転にともなって電力を出力するモータジェネレータと、
電源から供給された電力で前記バッテリを充電する充電部と、
前記電力を出力する状態における前記モータジェネレータの回転速度を検出するための回転速度検出部と、を備える電動車両を制御する電動車両制御方法であって、
前記回転速度が検出された後、前記検出された回転速度が閾値速度以下である状態が閾値時間継続するまで、前記電源から供給された電力で前記バッテリを充電する制御を待機し、前記閾値速度以下である状態が前記閾値時間継続したとき、前記電源から供給された電力で前記バッテリを充電する制御を行うことを特徴とする電動車両制御方法。
【発明の詳細な説明】
【技術分野】
【０００１】
本発明は、電動車両、電動車両制御装置および電動車両制御方法に関する。
【背景技術】
【０００２】
モータを動力とした電動二輪車は、モータを駆動する電力を供給するリチウムバッテリなどのバッテリを搭載している。バッテリを電源に接続することで、電源から供給される電力によってバッテリを充電することができる（例えば、特開２０１１‐０６３０６６号公報参照）。【０００３】
また、電動二輪車は、例えば、モータの回転速度が減速した時や、慣性による走行時、下り坂の走行時などのバッテリの電力をモータに供給していない時に、モータをジェネレータとして機能させることで、車輪の回転にともなってモータに発生した電力によってバッテリを充電（すなわち、回生充電）することができる。【０００４】
ところで、クラッチを有しない電動二輪車は、走行していない時においても、車輪からモータが切り離されない。このため、例えば、スタンドを立てた状態で車輪を手で回転させると、車輪の回転にともなってモータがジェネレータとして機能して発電する場合がある。【０００５】
このように、モータが発電する状況下において電源から供給される電力でバッテリを充電すると、電源とモータとの双方からバッテリに過剰な電力が供給される虞がある。このため、従来は、バッテリの充電を適切に行うことができない虞があった。
【発明の開示】
【発明が解決しようとする課題】
【０００６】
そこで、本発明は、電源とモータとの双方からバッテリに過剰な電力が供給されることを未然に回避して、バッテリの充電を適切に行うことが可能な電動車両、電動車両制御装置および電動車両制御方法を提供することを目的とする。
【課題を解決するための手段】
【０００７】
本発明の一態様に係る電動車両は、
充放電可能なバッテリと、
前記バッテリから供給された電力によって車輪を駆動するためのトルクを出力し、または、前記車輪の回転にともなって電力を出力するモータジェネレータと、
電源から供給された電力で前記バッテリを充電する充電部と、
前記電力を出力する状態における前記モータジェネレータの回転速度を検出するための回転速度検出部と、
前記モータジェネレータが出力した電力で前記バッテリを充電し、前記充電部に対して前記電源から供給された電力で前記バッテリを充電する制御を行う制御部と、を備え、
前記制御部は、前記回転速度が検出された後、前記検出された回転速度が閾値速度以下である状態が閾値時間継続するまで、前記電源から供給された電力で前記バッテリを充電する制御を待機し、前記閾値速度以下である状態が前記閾値時間継続したとき、前記電源から供給された電力で前記バッテリを充電する制御を行う。【０００８】
また、前記電動車両において、
前記電力を出力する状態は、外力で前記車輪を回転させ得るように車両のスタンドが立てられて前記車輪が地面から離れた状態であってもよい。【０００９】
また、前記電動車両において、
前記バッテリを収納する開閉可能な収納部と、
前記収納部の閉鎖状態を検出するための閉鎖状態検出部と、を更に備え、
前記制御部は、前記閾値速度以下である状態が前記閾値時間継続したときに、前記閉鎖状態が検出されている場合に、前記電源から供給された電力で前記バッテリを充電する制御を行ってもよい。【００１０】
また、前記電動車両において、
前記収納部は、車両のシートによって開閉されてもよい。【００１１】
また、前記電動車両において、
前記充電部は、前記電源に接続される充電プラグと、前記充電プラグを介して前記電源から入力された交流電圧を直流電圧に変換するＡＣ−ＤＣコンバータと、を有し、
前記制御部は、前記ＡＣ−ＤＣコンバータに対して前記交流電圧を前記直流電圧に変換する制御を行うことで、前記電源から供給された電力で前記バッテリを充電する制御を行ってもよい。【００１２】
また、前記電動車両において、
前記制御部は、前記充電プラグが前記電源に接続された後に、前記閾値速度以下である状態が前記閾値時間継続するまで、前記交流電圧を前記直流電圧に変換する制御を待機し、前記閾値速度以下である状態が前記閾値時間継続したとき、前記交流電圧を前記直流電圧に変換する制御を行ってもよい。【００１３】
また、前記電動車両において、
前記閾値速度は、前記回転速度の絶対値の閾値であってもよい。【００１４】
また、前記電動車両において、
前記制御部は、予め設定された判定周期で前記回転速度が前記閾値速度以下であるか否かを判定し、前記回転速度が前記閾値速度以下である場合に、前記閾値速度以下である状態の継続時間のカウント値をインクリメントし、前記カウント値が前記閾値時間に相当する完了値に達するまで、前記電源から供給された電力で前記バッテリを充電する制御を待機し、前記カウント値が前記完了値に達したときに、前記電源から供給された電力で前記バッテリを充電する制御を行ってもよい。【００１５】
また、前記電動車両において、
前記制御部は、前記回転速度が前記閾値速度以下でない場合に前記カウント値をリセットしてもよい。【００１６】
また、前記電動車両において、
前記制御部は、前記バッテリから前記モータジェネレータに電力を供給する制御を行ってもよい。【００１７】
また、前記電動車両において、
前記車輪と前記モータジェネレータとがクラッチを介さずに機械的に接続されていてもよい。【００１８】
本発明の一態様に係る電動車両制御装置は、
充放電可能なバッテリと、
前記バッテリから供給された電力によって車輪を駆動するためのトルクを出力し、または、前記車輪の回転にともなって電力を出力するモータジェネレータと、
電源から供給された電力で前記バッテリを充電する充電部と、
前記電力を出力する状態における前記モータジェネレータの回転速度を検出するための回転速度検出部と、を備える電動車両を制御する電動車両制御装置であって、
前記モータジェネレータが出力した電力で前記バッテリを充電し、前記充電部に対して前記電源から供給された電力で前記バッテリを充電する制御を行う制御部を備え、
前記制御部は、前記回転速度が検出された後、前記検出された回転速度が閾値速度以下である状態が閾値時間継続するまで、前記電源から供給された電力で前記バッテリを充電する制御を待機し、前記閾値速度以下である状態が前記閾値時間継続したとき、前記電源から供給された電力で前記バッテリを充電する制御を行うことを特徴とする電動車両制御装置。【００１９】
本発明の一態様に係る電動車両制御方法は、
充放電可能なバッテリと、
前記バッテリから供給された電力によって車輪を駆動するためのトルクを出力し、または、前記車輪の回転にともなって電力を出力するモータジェネレータと、
電源から供給された電力で前記バッテリを充電する充電部と、
前記電力を出力する状態における前記モータジェネレータの回転速度を検出するための回転速度検出部と、を備える電動車両を制御する電動車両制御方法であって、
前記回転速度が検出された後、前記検出された回転速度が閾値速度以下である状態が閾値時間継続するまで、前記電源から供給された電力で前記バッテリを充電する制御を待機し、前記閾値速度以下である状態が前記閾値時間継続したとき、前記電源から供給された電力で前記バッテリを充電する制御を行う。
【発明の効果】
【００２０】
本発明の一態様に係る電動車両は、充放電可能なバッテリと、バッテリから供給された電力によって車輪を駆動するためのトルクを出力し、または、車輪の回転にともなって電力を出力するモータジェネレータと、電源から供給された電力でバッテリを充電する充電部と、電力を出力する状態におけるモータジェネレータの回転速度を検出するための回転速度検出部と、モータジェネレータが出力した電力でバッテリを充電し、充電部に対して電源から供給された電力でバッテリを充電する制御を行う制御部と、を備え、制御部は、回転速度が検出された後、検出された回転速度が閾値速度以下である状態が閾値時間継続するまで、電源から供給された電力でバッテリを充電する制御を待機し、閾値速度以下である状態が閾値時間継続したとき、電源から供給された電力でバッテリを充電する制御を行う。【００２１】
このように、本発明によれば、車輪の回転にともなってモータジェネレータが電力を出力する状態におけるモータジェネレータの回転速度を検出し、検出された回転速度が閾値速度以下である状態が閾値時間継続するまで、電源から供給された電力でバッテリを充電する制御を待機することができる。【００２２】
これにより、車輪の回転にともなうモータジェネレータの発電が十分に抑制された状態において、電源から供給された電力でバッテリを充電することができる。【００２３】
したがって、本発明によれば、電源とモータジェネレータとの双方からバッテリに過剰な電力が供給されることを未然に回避して、バッテリの充電を適切に行うことが可能となる。
【図面の簡単な説明】
【００２４】
【図１】第１の実施形態に係る電動二輪車１００を示す図である。
【図２】第１の実施形態に係る電動二輪車１００において、電力変換部３０およびモータジェネレータ３を示す図である。
【図３】第１の実施形態に係る電動二輪車１００において、モータジェネレータ３のロータに設けられた磁石、およびアングルセンサ４を示す図である。
【図４】第１の実施形態に係る電動二輪車１００において、ロータアングルと、アングルセンサ４の出力との関係を示す図である。
【図５】第１の実施形態に係る電動二輪車１００の制御方法を示すフローチャートである。
【図６】第２の実施形態に係る電動二輪車１００を示す図である。
【図７】第２の実施形態に係る電動二輪車１００の制御方法を示すフローチャートである。
【発明を実施するための形態】
【００２５】
以下、図面を参照して本発明に係る実施形態を説明する。なお、以下に示す実施形態は、本発明を限定するものではない。また、実施形態で参照する図面において、同一部分または同様な機能を有する部分には同一の符号または類似の符号を付し、その繰り返しの説明は省略する。
【００２６】
（第１の実施形態）
まず、図１を参照して、電動車両の一例としての第１の実施形態に係る電動二輪車１００について説明する。
【００２７】
電動二輪車１００は、バッテリから供給される電力を用いてモータを駆動することで走行する電動バイク等の電動二輪車である。より詳しくは、電動二輪車１００は、モータと車輪がクラッチを介さずに機械的に接続されたクラッチレスの電動二輪車である。
【００２８】
電動二輪車１００は、図１に示すように、電動車両制御装置１と、バッテリ２と、モータジェネレータ３と、回転速度検出部の一例であるアングルセンサ４と、アクセルポジションセンサ５と、メータ７と、車輪８と、充電部の一例である充電器９とを備える。
【００２９】
以下、電動二輪車１００の各構成要素について詳しく説明する。
【００３０】
電動車両制御装置１は、電動二輪車１００を制御する装置であり、制御部１０と、記憶部２０と、電力変換部３０とを有している。なお、電動車両制御装置１は、電動二輪車１００全体を制御するＥＣＵ（Ｅｌｅｃｔｒｏｎｉｃ  Ｃｏｎｔｒｏｌ  Ｕｎｉｔ）として構成されてもよい。次に、電動車両制御装置１の各構成要素について詳しく説明する。
【００３１】
制御部１０は、電動車両制御装置１に接続された各種装置から情報を入力するとともに、電力変換部３０を介してモータジェネレータ３を駆動制御する。制御部１０の詳細については後述する。
【００３２】
記憶部２０は、制御部１０が用いる情報や、制御部１０が動作するためのプログラムを記憶する。この記憶部２０は、例えば不揮発性の半導体メモリであるが、これに限定されない。
【００３３】
電力変換部３０は、バッテリ２の直流電力を交流電力に変換してモータジェネレータ３に供給する。この電力変換部３０は、図２に示すように、３相のフルブリッジ回路で構成されている。半導体スイッチＱ１，Ｑ３，Ｑ５はハイサイドスイッチであり、半導体スイッチＱ２，Ｑ４，Ｑ６はローサイドスイッチである。半導体スイッチＱ１〜Ｑ６の制御端子は、制御部１０に電気的に接続されている。電源端子３０ａと電源端子３０ｂとの間には平滑コンデンサＣが設けられている。半導体スイッチＱ１〜Ｑ６は、例えばＭＯＳＦＥＴまたはＩＧＢＴ等である。
【００３４】
半導体スイッチＱ１は、図２に示すように、バッテリ２の正極が接続された電源端子３０ａと、モータジェネレータ３の入力端子３ａとの間に接続されている。同様に、半導体スイッチＱ３は、電源端子３０ａと、モータジェネレータ３の入力端子３ｂとの間に接続されている。半導体スイッチＱ５は、電源端子３０ａと、モータジェネレータ３の入力端子３ｃとの間に接続されている。
【００３５】
半導体スイッチＱ２は、モータジェネレータ３の入力端子３ａと、バッテリ２の負極が接続された電源端子３０ｂとの間に接続されている。同様に、半導体スイッチＱ４は、モータジェネレータ３の入力端子３ｂと、電源端子３０ｂとの間に接続されている。半導体スイッチＱ６は、モータジェネレータ３の入力端子３ｃと、電源端子３０ｂとの間に接続されている。なお、入力端子３ａはＵ相の入力端子であり、入力端子３ｂはＶ相の入力端子であり、入力端子３ｃはＷ相の入力端子である。
【００３６】
バッテリ２は、充放電可能である。具体的には、バッテリ２は、放電時に電力変換部３０に直流電力を供給する。また、バッテリ２は、商用電源等の外部の電源１３から供給された交流電力による充電時に、電源１３から供給された交流電力を充電器９で変換した直流電力によって充電される。また、バッテリ２には、車輪８の回転にともなってモータジェネレータ３が出力する交流電力による充電時に、モータジェネレータ３が出力した交流電力を電力変換装置１００で変換した直流電圧によって充電される。
【００３７】
このバッテリ２は、バッテリ管理ユニット（ＢＭＵ）を含む。バッテリ管理ユニットは、バッテリ２の電圧やバッテリ２の状態（充電率等）に関する情報を制御部１０に送信する。
【００３８】
なお、バッテリ２の数は一つに限らず、複数であってもよい。バッテリ２は、例えばリチウムイオン電池であるが、他の種類のバッテリであってもよい。バッテリ２は、異なる種類（例えば、リチウムイオン電池と鉛電池）のバッテリから構成されてもよい。
【００３９】
モータジェネレータ３は、バッテリ２から供給された電力によって車輪８を駆動するためのトルクを出力する。または、モータジェネレータ３は、車輪８の回転にともなって電力を出力する。
【００４０】
具体的には、モータジェネレータ３は、電力変換部３０から供給される交流電力により駆動されることで、車輪８を駆動するためのトルクを出力する。トルクは、制御部１０が電力変換部３０の半導体スイッチＱ１〜Ｑ６に目標トルクに基づいて算出された通電タイミングとデューティ比を有するＰＷＭ信号を出力することで制御されてもよい。すなわち、トルクは、制御部１０がバッテリ２からモータジェネレータ３に供給される電力を制御することで制御されてもよい。
【００４１】
モータジェネレータ３は、車輪８に機械的に接続されており、トルクによって所望の方向に車輪８を回転させる。本実施形態では、モータジェネレータ３は、クラッチを介さずに車輪８に機械的に接続されている。なお、モータジェネレータ３の種類は特に限定されない。
【００４２】
また、モータジェネレータ３は、車輪８の回転にともなって交流電力を出力する。具体的には、モータジェネレータ３は、モータジェネレータ３の回転速度が減速した場合や、外力によってモータジェネレータ３が回転する場合に、交流電力（すなわち、回生電力）を出力する。モータジェネレータ３の回転速度が減速した場合としては、例えば、走行中に車両のブレーキがかけられて制動された場合が挙げられる。また、外力によってモータジェネレータ３が回転する場合としては、例えば、バッテリ２からモータジェネレータ３に電力が供給されていない状態において、慣性によって走行する場合や坂道（下り坂）を走行する場合が挙げられる。
【００４３】
これらの他にも、モータジェネレータ３が外力によって回転する場合には、外力（例えば、ユーザの手）で車輪８を回転させ得るように車輪８のスタンドが立てられて車輪８が地面から離れた状態において、外力で車輪８を回転させることにともなってモータジェネレータ３が回転する場合が含まれる。
【００４４】
モータジェネレータ３が出力した交流電力は、電力変換部３０によって直流電力に変換され、変換された直流電力でバッテリ２が充電（すなわち、回生充電）される。
【００４５】
充電器９は、電源１３から供給された交流電力でバッテリ２を充電する。充電器９は、ＡＣ−ＤＣコンバータ９１と、コンバータ制御部９２と、充電プラグ９３とを有する。充電プラグ９３は、図示しないコンセントを介して電源１３に接続される。ＡＣ−ＤＣコンバータ９１は、充電プラグ９３を介して電源１３から入力された交流電圧を直流電圧に変換する。コンバータ制御部９２はＡＣ−ＤＣコンバータ９１の電力変換を制御する。
【００４６】
アングルセンサ４は、モータジェネレータ３の回転速度を検出するために、モータジェネレータ３のロータの回転角度を検出するセンサである。図３に示すように、モータジェネレータ３のロータの周面には、Ｎ極とＳ極の磁石（センサマグネット）が交互に取り付けられている。アングルセンサ４は、例えばホール素子により構成されており、モータジェネレータ３の回転に伴う磁場の変化を検出する。なお、磁石は、フライホイール（図示せず）の内側に設けられてもよい。
【００４７】
図３に示すように、アングルセンサ４は、Ｕ相アングルセンサ４ｕと、Ｖ相アングルセンサ４ｖと、Ｗ相アングルセンサ４ｗとを有している。本実施形態では、Ｕ相アングルセンサ４ｕとＶ相アングルセンサ４ｖとはモータジェネレータ３のロータに対して３０°の角度をなすように配置されている。同様に、Ｖ相アングルセンサ４ｖとＷ相アングルセンサ４ｗとはモータジェネレータ３のロータに対して３０°の角度をなすように配置されている。
【００４８】
図４に示すように、Ｕ相アングルセンサ４ｕ、Ｖ相アングルセンサ４ｖおよびＷ相アングルセンサ４ｗは、ロータアングル（角度位置）に応じた位相のパルス信号（すなわち、回転角度の検出信号）を出力する。
【００４９】
また、図４に示すように、所定のロータアングルごとに、ロータステージを示す番号（ロータステージ番号）が割り振られている。ロータステージはモータジェネレータ３のロータの角度位置を示しており、本実施形態では、電気角で６０°ごとにロータステージ番号１，２，３，４，５，６が割り振られている。ロータステージは、Ｕ相アングルセンサ４ｕ、Ｖ相アングルセンサ４ｖおよびＷ相アングルセンサ４ｗの出力信号のレベル（ＨレベルまたはＬレベル）の組合せにより定義されている。例えば、ロータステージ番号１は（Ｕ相、Ｖ相、Ｗ相）＝（Ｈ，Ｌ，Ｈ）であり、ロータステージ番号２は（Ｕ相、Ｖ相、Ｗ相）＝（Ｈ，Ｌ，Ｌ）である。
【００５０】
アクセルポジションセンサ５は、ユーザのアクセル操作により設定されたアクセル操作量を検知し、検知されたアクセル操作量を電気信号として制御部１０に送信する。ユーザが加速したい場合に、アクセル操作量は大きくなる。
【００５１】
メータ７は、電動二輪車１００に設けられたディスプレイ（例えば液晶パネル）であり、各種情報を表示する。具体的には、電動二輪車１００の走行速度、バッテリ２の残量、現在時刻、走行距離などの情報がメータ７に表示される。本実施形態では、メータ７は、電動二輪車１００のハンドル（図示せず）に設けられる。
【００５２】
次に、電動車両制御装置１の制御部１０について詳しく説明する。
【００５３】
制御部１０は、モータジェネレータ３が出力した電力でバッテリ２を充電（すなわち、回生充電）する制御を行う。
【００５４】
また、制御部１０は、充電器９に対して、電源１３から供給された電力でバッテリ２を充電する制御を行う。具体的には、制御部１０は、ＡＣ−ＤＣコンバータ９１に対して交流電圧を直流電圧に変換する制御を行うことで、電源１３から供給された電力でバッテリ２を充電する制御を行う。より具体的には、制御部１０は、コンバータ制御部９２に対して電源１３から供給される電力によるバッテリ２の充電を許可する充電許可信号を出力することで、コンバータ制御部９２によるＡＣ−ＤＣコンバータ９１の制御を介してバッテリ２を充電する制御を行う。
【００５５】
電源１３から供給された電力でバッテリ２を充電可能な状態において、制御部１０は、アングルセンサ４から出力されたパルス信号に基づいて、電力を出力する状態おけるモータジェネレータ３の回転速度を検出する。
【００５６】
一例として、制御部１０は、図４に示すように、Ｖ相ロータアングルセンサの出力の立下りからＵ相ロータアングルセンサの出力の立ち上がりまでの時間ｔに基づいてモータジェネレータ３の回転速度を算出する。
【００５７】
電源１３から供給された電力でバッテリ２を充電可能な状態においてモータジェネレータ３が電力を出力する状態としては、例えば、外力で車輪８を回転させ得るように車輪８のスタンドが立てられて車輪８が地面から離れた状態を挙げることができる。
【００５８】
このように、車輪８のスタンドが立てられて車輪８が地面から離れた状態は、電源１３に充電プラグ９３を接続してバッテリ２を充電し得る状態であり、なおかつ、車輪８を手で回転させてモータジェネレータ３に電力を発生させ得る状態である。
【００５９】
制御部１０は、このような電源１３およびモータジェネレータ３の双方からの充電が可能な状態におけるバッテリ２の充電を規制することで、電源１３とモータジェネレータ３との双方からバッテリ２に過剰な電力が供給されることを回避するように構成されている。
【００６０】
具体的には、制御部１０は、モータジェネレータ３の回転速度が検出された後、検出された回転速度が閾値速度以下である状態が閾値時間継続するまで、電源１３から供給された電力でバッテリ２を充電する制御を待機する。
【００６１】
そして、制御部１０は、検出されたモータジェネレータ３の回転速度が閾値速度以下である状態が閾値時間継続したとき、電源１３からから供給された電力でバッテリ２を充電する制御を行う。
【００６２】
モータジェネレータ３の閾値速度は、回転速度の絶対値の閾値であってもよい。
【００６３】
より具体的には、制御部１０は、充電プラグ９３が電源１３に接続された後に、モータジェネレータ３の回転速度が閾値速度以下である状態が閾値時間継続するまで、ＡＣ−ＤＣコンバータ９１に対して、交流電圧を直流電圧に変換する制御を待機してもよい。
【００６４】
そして、制御部１０は、閾値速度以下である状態が閾値時間継続したとき、ＡＣ−ＤＣコンバータ９１に対して、交流電圧を直流電圧に変換する制御を行ってもよい。ＡＣ−ＤＣコンバータ９１に対する制御は、コンバータ制御部９２を介して行ってもよい。
【００６５】
例えば、制御部１０は、予め設定された判定周期で回転速度が閾値速度以下であるか否かを判定し、回転速度が閾値速度以下である場合に、閾値速度以下である状態の継続時間のカウント値をインクリメントしてもよい。制御部１０は、カウント値が閾値時間に相当する完了値に達するまで、電源から供給された電力でバッテリを充電する制御を待機してもよい。
【００６６】
そして、制御部１０は、カウント値が完了値に達したときに、電源１３から供給された電力でバッテリ２を充電する制御を行ってもよい。
【００６７】
また、制御部１０は、モータジェネレータ３の回転速度が閾値速度以下でない場合に、カウント値をリセットしてもよい。また、カウント値の完了値までのカウントアップ（カウント値のインクリメント）の替わりに、カウント値の完了値までのカウントダウン（カウント値のディクリメント）を行うようにしてもよい。
【００６８】
（電動二輪車１００の制御方法）
以下、図５のフローチャートを参照して、電動車両制御方法の一例として、第１の実施形態に係る電動二輪車１００の制御方法について説明する。なお、図５のフローチャートは、必要に応じて繰り返される。
【００６９】
先ず、電源１３に充電プラグ９３を接続する（ステップＳ１）。
【００７０】
電源１３に充電プラグ９３が接続された後、制御部１０は、モータジェネレータ３が電力を出力する状態であるか否かを判定する（ステップＳ２）。
【００７１】
例えば、制御部１０は、バッテリ２からモータジェネレータ３に電力が供給されていない状態においてアングルセンサ４によってモータジェネレータ３の回転が検出されていることや、アクセル操作量がゼロの状態においてモータジェネレータ３の回転が検出されていること等に基づいて、モータジェネレータ３が電力を出力する状態であるか否かを判定してもよい。
【００７２】
モータジェネレータ３が電力を出力する状態である場合（ステップＳ２：Ｙｅｓ）、制御部１０は、モータジェネレータ３の回転速度が閾値以下である状態（すなわち、低速状態）の継続時間を数えるためのカウント値ｎをリセットする（ｎ＝０）（ステップＳ３）。一方、モータジェネレータ３が電力を出力する状態でない場合（ステップＳ２：Ｎｏ）、制御部１０は、コンバータ制御部９２に充電許可信号を出力することで、電源１３から供給された電力によるバッテリ２の充電を許可する（ステップＳ９）。
【００７３】
カウント値ｎをリセットした後、制御部１０は、アングルセンサ４のパルス信号を取得する（ステップＳ４）。
【００７４】
アングルセンサ４のパルス信号を取得した後、制御部１０は、取得されたパルス信号に基づいて、モータジェネレータ３の回転速度を算出する（ステップＳ５）。
【００７５】
モータジェネレータ３の回転速度を算出した後、制御部１０は、算出されたモータジェネレータ３の回転速度の絶対値が閾値以下であるか否かを判定する（ステップＳ６）。
【００７６】
モータジェネレータ３の回転速度の絶対値が閾値以下である場合（ステップＳ６：Ｙｅｓ）、制御部１０は、カウント値をインクリメントする（ｎ＝ｎ＋１）（ステップＳ７）。一方、モータジェネレータ３の回転速度の絶対値が閾値以下でない場合（ステップＳ６：Ｎｏ）、制御部１０は、カウント値をリセットする（ステップＳ３）。
【００７７】
カウント値をインクリメントした後、制御部１０は、カウント値が完了値に達したか否かを判定する（ステップＳ８）。この判定は、モータジェネレータ３の回転速度が閾値速度以下である状態が閾値時間継続したか否かの判定に相当する。
【００７８】
カウント値が完了値に達した場合（ステップＳ８：Ｙｅｓ）、制御部１０は、コンバータ制御部９２に充電許可信号を出力する。一方、カウント値が完了値に達していない場合（ステップＳ８：Ｎｏ）、制御部１０は、アングルセンサ４のパルス信号を取得する（ステップＳ４）。
【００７９】
なお、図５の例において、制御部１０は、電源１３に充電プラグ９３が接続された後に、ステップＳ２〜ステップＳ８までの処理を行っている。これに対して、制御部１０は、カウント値が完了値に達した後に、電源１３に充電プラグ９３が接続されたことを確認してもよい。この場合、制御部１０は、電源１３に充電プラグ９３が接続されたことが確認されることを待って、コンバータ制御部９２に充電許可信号を出力してもよい。
【００８０】
以下、第１の実施形態によってもたらされる作用について説明する。
【００８１】
上述したように、第１の実施形態において、制御部１０は、モータジェネレータ３が電力を出力する状態におけるモータジェネレータ３の回転速度が検出（算出）された後、検出された回転速度が閾値速度以下である状態が閾値時間継続するまで、電源１３から供給された電力でバッテリ２を充電する制御を待機する。そして、制御部１０は、モータジェネレータ３の回転速度が閾値速度以下である状態が閾値時間継続したとき、電源１３から供給された電力でバッテリ２を充電する制御を行う。
【００８２】
これにより、車輪８の回転にともなうモータジェネレータ３の発電が十分に抑制された状態において、電源１３から供給された電力でバッテリ２を充電することができる。
【００８３】
この結果、電源１３とモータジェネレータ３との双方からバッテリ２に過剰な電力が供給されることを未然に回避して、バッテリ２の充電を適切に行うことが可能となる。
【００８４】
また、上述したように、第１の実施形態において、制御部１０は、コンバータ制御部９２を介してＡＣ−ＤＣコンバータ９１に対して交流電圧を直流電圧に変換する制御を行うことで、電源１３から供給された電力でバッテリ２を充電する制御を行う。その際に、制御部１０は、充電プラグ９３が電源１３に接続された後に（図５のステップＳ１）、モータジェネレータ３の回転速度が閾値速度以下である状態が閾値時間継続するまで（図５のステップＳ８）、電源１３から供給された交流電圧を直流電圧に変換する制御を待機し、モータジェネレータ３の回転速度が閾値速度以下である状態が閾値時間継続したときに、交流電圧を直流電圧に変換する制御を行う（図５のステップＳ９）。
【００８５】
これにより、モータジェネレータ３の回転速度が閾値速度以下である状態が閾値時間継続するまでは、電源１３からＡＣ−ＤＣコンバータ９１に入力された交流電力の直流電力への変換を待機することができるので、車輪８の回転にともなうモータジェネレータ３の発電が十分に抑制された状態におけるバッテリ２の充電を確実に行うことができる。
【００８６】
また、上述したように、第１の実施形態において、制御部１０は、モータジェネレータ３の回転速度の閾値速度として、回転速度の絶対値の閾値を用いることで、車輪８の回転方向にかかわらず、車輪８の回転にともなうモータジェネレータ３の発電が十分に抑制された状態において、電源１３から供給された電力でバッテリ２を充電することができる。
【００８７】
また、上述したように、第１の実施形態において、制御部１０は、予め設定された判定周期でモータジェネレータ３の回転速度が閾値速度以下であるか否かを判定する（図５のステップＳ５）。制御部１０は、回転速度が閾値速度以下である場合に、閾値速度以下である状態の継続時間のカウント値をインクリメントし（図５のステップＳ７）、カウント値が閾値時間に相当する完了値に達するまで、電源１３から供給された電力でバッテリ２を充電する制御を待機する（ステップＳ８）。そして、制御部１０は、カウント値が完了値に達したときに、電源１３から供給された電力でバッテリ２を充電する制御を行う（ステップＳ９）。
【００８８】
これにより、カウント値が閾値時間に相当する完了値に達するまでは、電源１３から供給された電力でバッテリ２を充電する制御を待機することができる。この結果、車輪８の回転にともなうモータジェネレータ３の発電が十分に抑制された状態におけるバッテリ２の充電を簡便な制御で確実に行うことができる。
【００８９】
また、上述したように、第１の実施形態において、制御部１０は、モータジェネレータ３の回転速度が閾値速度以下でない場合に、閾値速度以下である状態の継続時間のカウント値をリセットする。
【００９０】
これにより、回転速度が閾値速度以下である状態が閾値時間継続することを確実に待ったうえで、電源１３から供給された電力でバッテリ２を充電する制御を行うことができる。この結果、車輪８の回転にともなうモータジェネレータ３の発電が十分に抑制された状態におけるバッテリ２の充電を更に確実に行うことができる。
【００９１】
（第２の実施形態）
次に、図６を参照して、第２の実施形態に係る電動二輪車１００について説明する。図６に示すように、第２の実施形態に係る電動二輪車１００は、第１の実施形態の構成に加えて、更に、収納部の一例であるシート下収納部１４と、閉鎖状態検出部の一例であるシートスイッチ１５とを備える。
【００９２】
シート下収納部１４は、電動二輪車１００のシートの下に設けられたバッテリ２を収納するための開閉可能なスペースである。シートは、例えばヒンジ機構等によってシート下収納部１４を開閉可能な方向に移動（例えば、回転）できるように車体に取り付けられている。運転時において、シート下収納部１４は、運転者がシートに座るためにシートで覆われる。一方、バッテリ２の充電時において、シート下収納部１４は、充電プラグ９３を取り出すためにシートの移動によって開放される。
【００９３】
シートスイッチ１５は、シートの移動によってシート下収納部１４が開放された場合、シート下収納部１４の開放状態の検出結果を示すオフ信号を制御部１０に出力する。一方、シートスイッチ１５は、シートの移動によってシート下収納部１４が閉鎖された場合、シート下収納部１４の閉鎖状態の検出結果を示すオン信号を制御部１０に出力する。なお、シート下収納部１４は、充電プラグ９３が取り出された状態で閉鎖させることができる。
【００９４】
シートスイッチ１５は、例えば、シートを閉じるときにシートで押圧されることによってオンし、シートを開くときにシートによる押圧が解除されることによってオフするメカニカルスイッチであってもよい。
【００９５】
制御部１０は、モータジェネレータ３の回転速度が閾値速度以下である状態が閾値時間継続したときに、シートスイッチ１５によってシート下収納部１４の閉鎖状態（オン信号）が検出されている場合に、電源１３から供給された電力でバッテリ２を充電する制御を行う。
【００９６】
以下、図７のフローチャートを参照して、第２の実施形態に係る電動二輪車１００の制御方法について、第１の実施形態との差異を中心に説明する。なお、図７のフローチャートは、必要に応じて繰り返される。
【００９７】
図７に示すように、第２の実施形態において、制御部１０は、カウント値が完了値に達した場合（ステップＳ８：Ｙｅｓ）、シートスイッチ１５がオンしたか否かを判定する（ステップＳ１０）。
【００９８】
シートスイッチ１５がオンした場合（ステップＳ１０：Ｙｅｓ）、制御部１０は、コンバータ制御部９２に充電許可信号を出力する（ステップＳ９）。一方、シートスイッチ１５がオンしていない場合（ステップＳ１０：Ｎｏ）、制御部１０は、カウント値をリセットする（ステップＳ３）。
【００９９】
上述したように、第２の実施形態によれば、シートが開いた状態でのバッテリ２の充電を禁止することができるので、電源１３とモータジェネレータ３との双方からバッテリ２に過剰な電力が供給されることを未然に回避して、バッテリ２の充電を適切に行いながら、シート下収納部１４内への異物の混入を防止することができる。
【０１００】
上述した実施形態で説明した電動車両制御装置１（制御部１０）の少なくとも一部は、ハードウェアで構成してもよいし、ソフトウェアで構成してもよい。ソフトウェアで構成する場合には、制御部１０の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１０１】
また、制御部１０の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１０２】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【０１０３】
１  電動車両制御装置
２  バッテリ
３  モータジェネレータ
４  アングルセンサ
９  充電器
１０  制御部
１００  電動二輪車
【図１】
2019049334.tif 000003
【図２】
2019049334.tif 000004
【図３】
2019049334.tif 000005
【図４】
2019049334.tif 000006
【図５】
2019049334.tif 000007
【図６】
2019049334.tif 000008
【図７】
2019049334.tif 000009
【国際調査報告】
2019049334.tif 000010
2019049334.tif 000011
2019049334.tif 000012
2019049334.tif 000013